(57)【要約】【課題】  傘布２５に直接触れずに当該傘布２５を中軸２２回りに絞り込むための絞りリング１１を、邪魔にならないように雨傘２に常備できるようにする。【解決手段】  本発明は、雨傘２の傘布２５を中軸２２回りに絞り込んだ状態に保持する雨傘２の絞り保持具１に関する。この絞り保持具１は、傘布２５に直接触れずに当該傘布２５を中軸２２回りに絞り込むために、閉傘状態の傘布２５の外面に対して軸方向に摺動自在に外嵌された絞りリング１１と、絞りリング１１を雨傘２の石突側に保持するリングホルダ１２と、を備える。【選択図】図１
2015013091.tif 000002
【特許請求の範囲】
【請求項１】
雨傘の傘布を中軸回りに絞り込んだ状態に保持する雨傘の絞り保持具であって、
前記傘布に直接触れずに当該傘布を前記中軸回りに絞り込むために、閉傘状態の前記傘布の外面に対して軸方向に摺動自在に外嵌された絞りリングと、
前記絞りリングを前記雨傘から抜けないように当該雨傘の石突側に保持するリングホルダと、
を備えることを特徴とする雨傘の絞り保持具。
【請求項２】
前記リングホルダは、前記石突に外嵌状に取り付けられた筒本体と、前記絞りリングを着脱自在に連結可能な保持部とを有する請求項１に記載の雨傘の絞り保持具。
【請求項３】
前記絞りリングは、閉傘状態の前記雨傘の各親骨の軸方向中途部を、更に中軸側に縮径可能な程度の内径を有する請求項１又は２に記載の雨傘の絞り保持具。
【請求項４】
基端部が前記リングホルダに開閉自在に枢着された複数の支持脚を更に備え、
前記支持脚は、開状態で地面に接地して前記雨傘を立姿勢に保持する接地部を有する請求項１〜３のいずれか１項に記載の雨傘の絞り保持具。
【請求項５】
前記絞りリング及び前記リングホルダの少なくとも一方に、蓄光機能が付与されている請求項１〜４のいずれか１項に記載の雨傘の絞り保持具。
【請求項６】
前記絞りリングは、リング本体の内側に回転筒体を配置した内外二重筒構造よりなり、前記回転筒体は、前記リング本体に対して相対回転自在でかつ軸方向に移動不能に取り付けられている請求項１〜５のいずれか１項に記載の雨傘の絞り保持具。
【請求項７】
軸方向及び周方向に対して傾斜した捻れ突条が前記回転筒体の内周面に形成されている請求項６に記載の雨傘の絞り保持具。
【請求項８】
閉傘状態の前記傘布に対して軸方向に摺動自在に外嵌された前記絞りリングと、前記石突に後付けされた前記リングホルダと、を備える請求項１〜７のいずれか１項に記載の絞り保持具を有する雨傘。
【請求項９】
閉傘状態の前記傘布に対して軸方向に摺動自在に外嵌された前記絞りリングと、前記石突に一体に成形された前記リングホルダと、を備える請求項１〜７のいずれか１項に記載の絞り保持具を有する雨傘。
【発明の詳細な説明】
【技術分野】
【０００１】  本発明は、雨傘の絞り保持具とこの保持具を有する雨傘に関する。具体的には、雨傘の傘布を中軸回りに絞り込んだ状態に保持する保持具に関する。
【背景技術】
【０００２】  折り畳み式ではない通常の雨傘の傘布を中軸回りに絞り込み、携帯に便利な細い状態に保持する作業（以下、「絞り込み作業」という。）は、例えば次の手順で行われる。
１）左手で傘布を掴みながら、或いは、傘布の保持ベルトを掴みながら、右手で手元を右回りに回転させる。
２）その回転によって傘布を右回りに巻き付け、雨傘を全体的に細く絞り込む。
３）その後、保持ベルトで親骨を周囲から縛り、雨傘が絞り込まれた状態を保持する。【０００３】  上記の絞り込み作業では、できるだけ細い状態に雨傘を保持するためには、濡れた傘布又は保持ベルトを左手でしっかりと掴む必要があるので、左手が濡れて不快である。
逆に、左手が濡れる不快感を嫌悪して、傘布や保持ベルトをしっかり掴まないと、傘布を細く綺麗に絞り込むことができない。従って、携帯するのに見苦しい雨傘の保持状態になるとともに、バスや電車などの公共車両に持ち込んだ場合に、周囲の人に濡れた傘布が接触して迷惑をかけるという問題がある。【０００４】  特許文献１には、上記の問題点を解決するための雨傘の絞り保持具が提案されている。かかる保持具は、磁石を有する複数の長尺平板をゴムバンドで互いに連結した筒状本体により構成されている。
そして、従来の保持具では、筒状本体を閉傘状態の雨傘に外嵌させた状態で、雨傘を回転させて傘布を中軸回りに絞り込むことにより、左手が傘布に触れなくても絞り込み作業ができるようになっている。
【先行技術文献】
【特許文献】
【０００５】
【特許文献１】  特開２００１−３４０１１８号公報
【発明の概要】
【発明が解決しようとする課題】
【０００６】  上記従来の保持具では、雨傘を開傘状態とするために筒状本体が不要な場合は、長尺平板を折り畳んで筒状本体を縮径させ、この縮径させた筒状本体を面ファスナー等で石突に仮止めする方法を採用している。
しかし、筒状本体を石突に仮止めするだけでは、雨傘の使用中に風力その他の外力で筒状本体が飛散し、紛失するおそれがある。この場合、雨傘を絞り込み作業が必要な場合に筒状本体を使用できなくなるので、ユーザーにとっては不本意な結果となる。【０００７】  本発明は、上記の問題点に鑑み、傘布に直接触れずに当該傘布を中軸回りに絞り込むための絞りリングを邪魔にならないように雨傘に常備できるようにして、絞りリングを用いた絞り込み作業をユーザーが確実に行えるようにすることを目的とする。
【課題を解決するための手段】
【０００８】  本発明の絞り保持具は、雨傘の傘布を中軸回りに絞り込んだ状態に保持する雨傘の絞り保持具であって、前記傘布に直接触れずに当該傘布を前記中軸回りに絞り込むために、閉傘状態の前記傘布の外面に対して軸方向に摺動自在に外嵌された絞りリングと、前記絞りリングを前記雨傘から抜けないように当該雨傘の石突側に保持するリングホルダと、を備えることを特徴とする。【０００９】  本発明の絞り保持具によれば、上記機能を有する絞りリングと、この絞りリングを雨傘から抜けないように当該雨傘の石突側に保持するリングホルダとを備えるので、雨傘を開傘状態とする等のために絞りリングを使用しない場合は、リングホルダによって絞りリングを石突側に保持できる。
従って、絞りリングを邪魔にならないように雨傘に常備することができ、絞りリングを用いた絞り込み作業をユーザーが確実に行えるようになる。【００１０】  本発明の絞り保持具において、前記リングホルダは、具体的には、前記石突に外嵌状に取り付けられた筒本体と、前記絞りリングを着脱自在に連結可能な保持部とを有する部材を採用すればよい。【００１１】  また、本発明の絞り保持具において、前記絞りリングは、具体的には、閉傘状態の前記雨傘の各親骨の軸方向中途部を、更に中軸側に縮径可能な程度の内径を有する部材を採用すればよい。【００１２】  本発明の絞り保持具において、基端部が前記リングホルダに開閉自在に枢着された複数の支持脚を更に備え、前記支持脚は、開状態で地面に接地して前記雨傘を立姿勢に保持する接地部を有することが好ましい。
この場合、支持脚を開状態にして接地部を地面に接地すると、雨傘が立姿勢に保持されるので、傘立てを使用しなくても任意の場所に仮置きできる、非常に便利な機能を雨傘に付与することができる。【００１３】  更に、本発明の絞り保持具において、前記絞りリング及び前記リングホルダの少なくとも一方に、蓄光機能を付与すれば、夜間に傘を差している最中に絞りリングはリングホルダが発光し、夜間の道路歩行時における安全性の向上に役立つ。【００１４】  本発明の絞り保持具において、前記絞りリングは、リング本体の内側に回転筒体を配置した内外二重筒構造よりなり、前記回転筒体は、前記リング本体に対して相対回転自在でかつ軸方向に移動不能に取り付けられていることが好ましい。
この場合、絞りリングを雨傘の軸方向に沿って手元側に移動させると、傘布から受ける摺動抵抗により回転筒体がリング本体に対して相対回転する。従って、ユーザーが雨傘を回転させなくても、傘布を絞り込み易くなる。【００１５】  また、軸方向及び周方向に対して傾斜した捻れ突条を前記回転筒体の内周面に形成すれば、傘布から受ける摺動抵抗による回転筒体の相対回転がより発生し易くなる。従って、ユーザーが雨傘を回転させなくても、傘布をより絞り込み易くなる。【００１６】  本発明の雨傘は、閉傘状態の前記傘布に対して軸方向に摺動自在に外嵌された前記絞りリングと、前記石突に後付けされた前記リングホルダと、を備えることを特徴とする。
本発明の雨傘によれば、リングホルダを石突に後付けすることにより、本発明の絞り保持具を有する雨傘が得られるので、既存の雨傘に対して本発明の絞り保持具を適用することができる。【００１７】  また、本発明の雨傘は、閉傘状態の前記傘布に対して軸方向に摺動自在に外嵌された前記絞りリングと、前記石突に一体に成形された前記リングホルダと、を備えるものであってもよい。
本発明の雨傘によれば、リングホルダが石突に一体に成形されるので、製品段階から本発明の絞り保持具を採用した雨傘が得られる。
【発明の効果】
【００１８】  以上の通り、本発明によれば、傘布に直接触れずに当該傘布を中軸回りに絞り込むための絞りリングを邪魔にならないように雨傘に常備できるので、絞りリングを用いた絞り込み作業をユーザーが確実に行うことができる。
【図面の簡単な説明】
【００１９】
【図１】  絞り保持具が設けられた雨傘の正面図である。
【図２】  （ａ）は絞り保持具の分離状態を示す側面図であり、（ｂ）は絞り保持具の結合状態を示す側面図である。
【図３】  絞り保持具の第１の変形例を示す側面図である。
【図４】  絞り保持具の第２の変形例を示す斜視図である。
【発明を実施するための形態】
【００２０】  以下、図面を参照しつつ、本発明の実施形態を説明する。
〔絞り保持具の構成〕
図１は、本発明の実施形態に係る絞り保持具１が設けられた雨傘２の正面図である。
図１に示すように、本実施形態の雨傘２は、折り畳み式ではない通常の雨傘よりなり、この雨傘２は、手元２１から先端側に延びる中軸２２と、中軸２２の先端部に連結された石突２３と、中軸２２の先端部に放射状に配置された複数の親骨２４と、各親骨２４に張り付けられた傘布２５と、を備えている。
【００２１】  本実施形態の絞り保持具１は、雨傘２の傘布２５を中軸２２回りに絞り込んだ状態に保持するためのものである。
すなわち、この絞り保持具１は、傘布２５に直接触れずに当該傘布２５を中軸２２回りに絞り込むために、閉傘状態の傘布２５の外面に対して軸方向に摺動自在に外嵌された絞りリング１１と、この絞りリング１１を雨傘２から抜けないように当該雨傘２の石突２３の軸方向範囲に保持するリングホルダ１２と、を備えている。
【００２２】  図２（ａ）は、絞り保持具１の分離状態を示す側面図であり、図２（ｂ）は、絞り保持具１の結合状態を示す側面図である。
図２に示すように、本実施形態のリングホルダ１２は、硬質プラスチック製のやや長尺の円筒部材よりなり、石突２３に外嵌状に取り付けられた筒本体１３と、この筒本体１３の手元側（雨傘２における手元２１側：図２の右側）に形成された、絞りリング１１が着脱自在に連結可能な保持部１４とを一体に有する。
【００２３】  リングホルダ１２の軸方向長さは、石突２３よりも短い寸法となっており、リングホルダ１２の内径寸法は、石突２３の外形よりも若干大きい寸法となっている。
このため、リングホルダ１２は、石突２３に軸方向中途部に移動自在に外嵌することができる。
【００２４】  リングホルダ１２の軸方向中途部には、その周壁部を径方向に貫通するネジ孔１５が形成されている。
従って、このネジ孔１５に螺合させた固定ネジ（図示せず）の先端を石突２３に突き当てることにより、リングホルダ１２を、石突２３の軸方向中途部に対して軸方向に移動不能に固定できるようになっている。
【００２５】  保持部１４は、筒本体１３よりも大径の段差筒体よりなり、石突側（雨傘２における石突２３側：図２の左側）から手元側に向かって順に、フランジ部１６と、嵌合部１７と、ガイド部１８とを備えている。
嵌合部１７の外径寸法は、絞りリング１１の石突側の取付開口１９の内面に対して「締まり嵌め」となる寸法に設定され、フランジ部１６の外形寸法は、取付開口１９の内面よりも大きい寸法に設定されている。
【００２６】  ガイド部１８の外周形状は、手元側に向かうに従ってやや先細りとなるテーパー形状となっている。
このため、絞りリング１１を軸方向に沿って保持部１４に接近させて行くと、保持部１４のガイド部１８が、石突側に移動する絞りリング１１の取付開口１９の内面に入り込み、その取付開口１９を嵌合部１７にガイドする。
【００２７】  絞りリング１１は、硬質プラスチック製の短円筒部材よりなり、閉傘状態の雨傘２の各親骨２４の軸方向中途部を、更に中軸２２側に縮径可能な程度の内径を有する。
かかる縮径が可能な程度の内径は、例えば、適用する雨傘２の種類によっても異なるが、例えば、３５ｍｍ〜５０ｍｍ程度である。
【００２８】  絞りリング１１の内周面の周方向の放射状位置には、複数（例えば９０度ごとに４つ）の滑り止めリブ３１が一体に形成されている。
この滑り止めリブ３１は、絞りリング１１の手元側への摺動抵抗よりも、石突側への摺動抵抗を大きくするための部材である。本実施形態では、この摺動抵抗差を付けるため、石突側の傾斜角度が大きくかつ手元側の傾斜角度が小さくなる摺動面が、滑り止めリブ３１に形成されている。
【００２９】  なお、本実施形態の絞りリング１１では、掴み易さと美観を向上させるために、ほぼ楕円形に形成された滑り止め突部３２が、絞りリング１１の外周面の周方向所定間隔おきに形成されている。
また、本実施形態では、雨傘２を差して夜間に道路を歩行する際の安全性の向上に役立てるため、絞りリング１１及びリングホルダ１２の少なくとも一方に、蓄光塗料を塗装したり蓄光顔料を含有させたりすることにより、蓄光機能が付与されている。
【００３０】  〔絞り保持具の使用方法と効果〕
本実施形態の絞り保持具１では、雨傘２を差している揚合などの、絞りリング１１が不要である場合には、図２（ｂ）に示すように、絞りリング１１をリングホルダ１２の保持部１４に結合させ、絞りリング１１を雨傘２の石突側に保持しておく。
その後、雨傘２の使用が終了し、閉傘状態にした雨傘２を絞り込むには、まず、手元２１を右手で持った状態で絞りリング１１を左手で掴み、絞りリング１１をリングホルダ１２から取り外す。
【００３１】  そして、雨傘２を中軸２２回りに右回りに回転させながら、絞りリング１１を雨傘２の軸方向に沿って手元側に移動させる。これにより、傘布２５に直接触れることなく、絞りリング１１によって傘布２５を中軸２２回りに絞り込むことができる。
一方、その後に再び雨傘２を使用する場合には、絞りリング１１を石突側に移動させてリングホルダ１２に結合し、絞りリング１１を石突側に保持すればよい。
【００３２】  このように、本実施形態の絞り保持具１によれば、傘布２５の絞り機能を有する絞りリング１１と、この絞りリング１１を雨傘２から抜けないように石突側に保持するリングホルダ１２とを備えるので、雨傘２を開傘状態とする等のために絞りリング１１を使用しない場合は、リングホルダ１２によって絞りリング１１を石突側に保持できる。
従って、絞りリング１１を邪魔にならないように雨傘２に常備することができ、絞りリング１１を用いた絞り込み作業をユーザーが確実に行うことができる。
【００３３】  また、本実施形態の絞り保持具１によれば、リングホルダ１２が、石突２３に外嵌状に取り付けられた筒本体１３を有し、この筒本体１３の手元側に、絞りリング１１を着脱自在に連結可能な保持部１４を形成したので、絞りリング１１を保持部１４に近接させて結合するだけで絞りリング１１の保持が完了する。このため、絞りリング１１を簡単に石突側に保持することができる。
【００３４】  〔第１の変形例〕
図３は、絞り保持具１の第１の変形例を示す側面図である。
図３に示す絞り保持具１が、上述の実施形態と異なる点は、複数の支持脚３３がリングホルダ１２に設けられている点にある。
【００３５】  支持脚３３は、リングホルダ１２の周方向の所定位置（３箇所以上）に放射状に配置されており、基端部がリングホルダ１２に開閉自在に枢着されている。
各支持脚３３は、図３に示す開状態と、先端部同士が近接する閉状態とのいずれかに切り替え自在であり、先端側に形成された接地部３４は、開状態において地面に接地して雨傘を立姿勢に保持できるようになっている。
【００３６】  このため、支持脚３３を開状態にして接地部を地面に接地すると、雨傘２を立姿勢に保持できるので、傘立てを使用しなくても任意の場所に仮置きできる、非常に便利な機能を雨傘２に付与することができる。
【００３７】  〔第２の変形例〕
図４は、絞り保持具１の第２の変形例を示す側面図である。
以下、図４に示す絞り保持具１が、上述の実施形態と異なる点を説明する。
図４に示すように、この変形例の絞り保持具１では、絞りリング１１が、リング本体４１の内側に回転筒体４２を配置した内外二重筒構造よりなる。
【００３８】  リング本体４１の内周面には、周方向に延びる突条（図示せず）が形成され、回転筒体４２の外周面には、その突条に対応する周溝（図示せず）が形成されている。
そして、リング本体４１の内側に回転筒体４２を同軸心状に挿通する際に、上記の突条を周溝に嵌合させることにより、回転筒体４２が、リング本体４１に対して相対回転自在でかつ軸方向に移動不能となるように取り付けられている。
【００３９】  なお、突条と周溝の凹凸関係を上記とは逆にしてもよい。すなわち、リング本体４１の内周面に周溝を形成し、回転筒体４２の外周面に突条を形成してもよい。
また、リング本体４１の内周面と回転筒体４２の外周面の双方に周溝を形成し、これらの周溝にボールベアリングを介装することにより、回転筒体４２を、リング本体４１に対して相対回転自在でかつ軸方向に移動不能に取り付けることもできる。
【００４０】  回転筒体４２の内周面には、当該回転筒体４２軸方向及び周方向に対して傾斜した捻れ突条４３が一体に形成されている。
図４の例では、捻れ突条４３は、周方向で対向する位置に２つ形成されており、これらの２つの捻れ突条４３，４３は、周方向の右回りに対して軸方向前方へ進む方向に傾斜している。
【００４１】  回転筒体４２の石突側の縁部には、リングホルダ１２側の嵌合突起４６に対応する複数の嵌合凹部４４が周方向の等間隔おきに形成されている。
図４に示すように、この変形例の絞り保持具１では、リングホルダ１２の保持部１４が筒本体１３の石突側に配置されている。すなわち、保持部１４は、回転筒体４２よりもやや小径の筒本体１３と、この筒本体１３の石突側端部から径外側に張り出すフランジ部４５と、このフランジ部４５の裏面側に形成された嵌合突起４６とを有する。
【００４２】  従って、絞りリング１１の回転筒体４２を筒本体１３に外嵌させて、嵌合突起４６に嵌合凹部４４を嵌め込むと、絞りリング１１の上端縁をフランジ部４５に当接させた状態で、絞りリング１１をリングホルダ１２に保持することができる。
なお、筒本体１３の内部には、内部に挿通された石突２３を弾性力によって保持するゴム製の取付筒体４７が収納されている。
【００４３】  第２の変形例によれば、回転筒体４２が、リング本体４１に対して相対回転自在でかつ軸方向に移動不能に取り付けられているので、絞りリング１１を雨傘２の軸方向に沿って手元側に移動させると、傘布２５から受ける摺動抵抗により回転筒体４２がリング本体４１に対して相対回転する。従って、ユーザーが雨傘２を回転させなくても、傘布２５を絞り込み易くなる。
【００４４】  また、第２の変形例では、軸方向及び周方向に対して傾斜した捻れ突条４３が回転筒体の４２内周面に形成されているので、かかる捻れ突条４３がない平滑な内周面である場合に比べて、傘布２５から受ける摺動抵抗による回転筒体４２の相対回転がより発生し易くなる。従って、ユーザーが雨傘２を回転させなくても、傘布２５をより絞り込み易くなるという利点もある。
【００４５】  〔その他の変形例〕
上述の実施形態（変形例を含む。）では、リングホルダ１２を雨傘２の石突２３に後付けするタイプの絞り保持具１を例示した。
この場合、リングホルダ１２を石突２３に後付けすることにより、上述の絞り保持具１を有する雨傘２が得られるので、既存の雨傘２に対して上述の絞り保持具を適用することができる。
【００４６】  もっとも、本発明の絞り保持具１はこれに限られず、リングホルダ１２を雨傘２の石突２３に一体に成形することにしてもよい。この場合には、リングホルダ１２が石突２３に一体に成形されるので、製品段階から上述の絞り保持具１を採用した雨傘２が得られる。
【符号の説明】
【００４７】  １  保持具
２  雨傘
１１  絞りリング
１２  リングホルダ
１３  筒本体
１４  保持部
１５  ネジ孔
１６  フランジ部
１７  嵌合部
１８  ガイド部
１９  取付開口
２１  手元
２２  中軸
２３  石突
２４  親骨
２５  傘布
２５  当該傘布
３１  滑り止めリブ
３２  滑り止め突部
３３  支持脚
３４  接地部
４１  リング本体
４２  回転筒体
４２  当該回転筒体
４３  捻れ突条
４３，４３  突条
４４  嵌合凹部
４５  フランジ部
４６  嵌合突起
４７  取付筒体
【図１】
2015013091.tif 000003
【図２】
2015013091.tif 000004
【図３】
2015013091.tif 000005
【図４】
2015013091.tif 000006